(57)【特許請求の範囲】
【請求項１】
突出する電極端子を有する複数の単電池と、
前記電極端子に接続されて、この電極端子と電気的にも接続するバスバーであって、開口を有して前記電極端子を前記開口から前記電極端子の突出方向に沿って収容する収容部を備えるバスバーと、
前記電極端子において、前記突出方向に沿う周面、または、前記収容部において、前記突出方向に沿う内面とのうち一方に形成されて、前記周面または前記内面とのうち他方に向かって突出するとともに前記突出方向に延びて前記他方に接触する突出部と
を具備し、
前記突出部が前記内面に形成される場合、前記電極端子が前記収容部内に収容される前の状態において、前記収容部の前記突出部を含む前記突出方向に垂直な断面は、前記突出部の突出端部が前記周面よりも内側に位置する大きさを有し、
前記突出部が前記周面に形成される場合、前記電極端子が前記収容部内に収容される前の状態において、前記電極端子の前記突出部を含む前記突出方向に垂直な断面は、前記突出端部が前記内面よりも外側に位置する大きさを有し、
前記電極端子を前記収容部内に収容する際に前記突出部の突出端部が前記内面と前記周面とのうち他方に擦れて削れる
ことを特徴とする組電池。
【請求項２】
前記収容部は、前記内面を有する周壁部と、前記周壁部の先端に連結されて当該先端を覆う先端壁部とを具備する
ことを特徴とする請求項１に記載の組電池。
【請求項３】
前記突出部は、複数設けられるとともに、前記電極端子回りに等間隔離間して配置される
ことを特徴とする請求項１に記載の組電池。
【請求項４】
前記電極端子の前記突出方向に垂直な断面は、互いに対向する一組の縁を有し、
前記突出部は、前記一組の縁に沿って前記一組の縁の一方側と他方側とに交互に形成される
ことを特徴とする請求項１に記載の組電池。
【請求項５】
前記一方側に形成される前記突出部と、前記他方側に形成される前記突出部とは、前記一組の縁の延びる方向に等間隔離間する
ことを特徴とする請求項４に記載の組電池。
【請求項６】
前記一組の縁は、互いに平行である
ことを特徴とする請求項５に記載の組電池。
【請求項７】
前記収容部内に前記電極端子が収容された状態において、前記収容部を外側から内側に向かって挟みこむクリップを備える
ことを特徴とする請求項１に記載の組電池。
【請求項８】
前記クリップは、前記収容部において前記突出部と対向する部位を挟持する
ことを特徴とする請求項７に記載の組電池。
【請求項９】
前記突出部は、前記収容部に形成される
ことを特徴とする請求項１に記載の組電池。
【発明の詳細な説明】
【技術分野】
【０００１】
本発明の実施形態は、複数の単電池を備える組電池に関する。
【背景技術】
【０００２】
従来、複数の単電池を備える組電池では、単電池の電極端子同士を互いに接続するために導電部材で形成されるバスバーが用いられている。バスバーに形成される孔内に電極端子が挿入される。バスバーと電極端子との接触状態を安定させるために、バスバーの孔の縁に爪部を設けている。孔に電極端子が挿入されると、爪部が電極端子の周面にかしめられる。このことによって、バスバーと電極端子との接触状態を安定させている（例えば、特許文献１参照。）。
【先行技術文献】
【特許文献】
【０００３】
【特許文献１】特開２０１０−２０５５３５号公報
【発明の概要】
【発明が解決しようとする課題】
【０００４】
電極端子とバスバーとの電気的接続をより一層良好にすることが求められている。
【０００５】
実施形態は、電極端子との電気的接続をより一層良好にできるバスバーを備える組電池を提供することを目的とする。
【課題を解決するための手段】
【０００６】
実施形態の組電池は、突出する電極端子を有する複数の単電池と、前記電極端子に接続されて、この電極端子とに電気的にも接続するバスバーであって、開口を有して前記電極端子を前記開口から前記突出部の突出方向に沿って収容する収容部を備えるバスバーと、前記電極端子において前記突出方向に沿う周面、または、前記収容部において前記突出方向に沿う内面とのうち一方に形成されて、前記周面または前記内面とのうち他方に向かって突出するとともに前記突出方向に延びて前記他方に接触する突出部とを備える。
前記突出部が前記内面に形成される場合、前記電極端子が前記収容部内に収容される前の状態において、前記収容部の前記突出部を含む前記突出方向に垂直な断面は、前記突出部の突出端部が前記周面よりも内側に位置する大きさを有し、前記突出部が前記周面に形成される場合、前記電極端子が前記収容部内に収容される前の状態において、前記電極端子の前記突出部を含む前記突出方向に垂直な断面は、前記突出端部が前記内面よりも外側に位置する大きさを有する。前記電極端子を前記収容部内に収容する際に前記突出部の突出端部が前記内面と前記周面とのうち他方に擦れて削れる。
【図面の簡単な説明】
【０００７】
【図１】第１の実施形態に係る組電池を示す斜視図。
【図２】図１に示す範囲Ｆ２において、同組電池のバスバーが単電池に対して分解された状態を示す斜視図。
【図３】同バスバーを示す斜視図。
【図４】同組電池のターミナルバスバーを示す斜視図。
【図５】同バスバーの収容部内に同単電池の電極端子の嵌合用突出部が収容された状態において、同収容部を収容部の突出する方向に垂直な方向に切断した状態を示す断面図。
【図６】同嵌合用突出部が収容される前の同収容部を、収容部の突出方向に垂直に切断した状態を示す断面図。
【図７】同嵌合用突出部を、突出方向に沿って切断した状態を示す断面図。
【図８】同嵌合用突出部が収容部内に最後まで収容される前の状態を突出方向に沿って切断して示す断面図。
【図９】図８に示される同収容部から同嵌合用突出部を引き抜いた状態を一部切り欠いて示す斜視図。
【図１０】同嵌合用突出部の全体が収容部内に収容された後、バスバー及びターミナルバスバーを電極端子から取り外した状態の嵌合用突出部を示す斜視図。
【図１１】第２の実施形態に係る組電池のバスバーまたはターミナルバスバーの嵌合用突出部が収容部内に収容された状態を、突出方向に垂直に切断して示す断面図。
【図１２】第３の実施形態に係る組電池のバスバーまたはターミナルバスバーの嵌合用突出部が収容部内に収容された状態を、突出方向に垂直に切断して示す断面図。
【図１３】第４の実施形態に係る組電池のバスバーとターミナルバスバーの嵌合用突出部を示す斜視図。
【図１４】同嵌合用突出部が同バスバーと同ターミナルバスバーの収容部内に収容された状態を突出方向に垂直に切断して示す断面図。
【図１５】本実施形態の別例において、同嵌合用突出部が同バスバーと同ターミナルバスバーの収容部内に収容された状態を突出方向に垂直に切断して示す断面図。
【図１６】同嵌合用突出部が同バスバーと同ターミナルバスバーの収容部内に収容された状態を突出方向に垂直に切断して示す断面図。
【図１７】第５の実施形態に係る組電池において、嵌合用突出部が収容された収容部を拡大して示す斜視図。
【発明を実施するための形態】
【０００８】
第１の実施形態に係る組電池を、図１〜１０を用いて説明する。図１は、組電池１０を示す斜視図である。図１に示すように、組電池１０は、ケース２０と、ケース２０内に収容される複数の単電池３０と、導電部材で形成されるバスバー４０と、導電部材で形成されるターミナルバスバー６０とを備えている。本実施形態では、組電池１０は、一例として、複数の単電池３０がバスバー４０によって互いに直列に電気的に接続されている。直列に接続された単電池３０のうち、両端に配置される単電池３０は、組電池１０の外部接続端子１１，１２にターミナルバスバー６０によって電気的に接続される。
【０００９】
図２は、図１に示す範囲Ｆ２において、バスバー４０が単電池３０に対して分解された状態を示している。図２に示すように、単電池３０は、正極用と負極用とにそれぞれ１つずつ、つまり計２つの電極端子３１を備えている。両電極端子３１は同じである。
【００１０】
電極端子３１は、基部３２と、基部３２から突出する複数の嵌合用突出部３３と、一対の第１の係合爪部３４とを備えている。基部３２は、板形状であり、平面形状が四角形である。基部３２の表面３２ａは、平面である。
【００１１】
嵌合用突出部３３は、一例として、４つ形成されている。嵌合用突出部３３の形状は、全て同じである。嵌合用突出部３３は、一例として、略直方体形状である。嵌合用突出部３３は、基部３２の表面３２ａに対して垂直な方向に突出している。嵌合用突出部３３については、後で詳細に説明する。両第１の係合爪部３４は、４つの嵌合用突出部３３を挟むように配置されている。電極端子３１は、全ての単電池３０において同じである。電極端子３１は、一例として、アルミ材で形成されている。
【００１２】
図３は、バスバー４０を示す斜視図である。図３に示すように、バスバー４０は、一対の嵌合部４１と、ベンド部４２と、第２の係合爪部４３と、電圧検出端子４４とを備えている。
【００１３】
両嵌合部４１は、互いに同じ形状である。嵌合部４１は、基部４５と、収容部４６とを備えている。基部４５は、平面形状が四角形の板形状である。収容部４６は、電極端子３１の嵌合用突出部３３を収容する。本実施形態では、１つの電極端子３１に、４つの嵌合用突出部３３が形成されているため、１つの嵌合部４１には収容部４６が５つ形成されている。各収容部４６は、基部４５に固定されており、それゆえ、互いに一体に固定されている。
【００１４】
なお、本実施形態では、電極端子３１は、４つの嵌合用突出部３３を備えており、バスバー４０は、５つの収容部４６を備えている。このため、５つのうち１つの収容部４６内には、嵌合用突出部３３は収容されない。１つの嵌合部４１に形成される収容部４６は、全ての嵌合用突出部３３を収容できる数が設けられればよく、それゆえ、本実施形態では収容部４６は、４つ以上あればよい。本実施形態では、収容部４６の数が嵌合用突出部３３の数以上あることの一例として、収容部４６が５つ形成されている。収容部４６については、後で具体的に説明する。
【００１５】
両第２の係合爪部４３は、５つの収容部４６を挟むように配置されている。第２の係合爪部４３は、係合部４３ａを有している。係合部４３ａは、各収容部４６が並ぶ方向に沿って、収容部４６から離れる方向に突出している。
【００１６】
図２に示すように、第１の係合爪部３４は、係合孔３４ａを有している。係合孔３４ａは、第１の係合爪部３４を貫通している。嵌合用突出部３３が収容部４６に収容された状態において、第２の係合爪部４３の係合部４３ａが、第１の係合爪部３４の係合孔３４ａ内に嵌る。このことによって、バスバー４０を電極端子３１から取り外す方向、つまり、嵌合用突出部３３が突出する方向に第２の係合爪部４３の係合部４３ａと第１の係合爪部３４の係合孔３４ａの縁部とが係合することによって、バスバー４０を電極端子３１から取り外す方向に電極端子３１に固定される。
【００１７】
なお、第１の係合爪部３４は、弾性を有している。電極端子３１からバスバー４０を取り外す場合は、第２の係合爪部４３の係合部４３ａが第１の係合爪部３４の係合孔３４ａから外れるように、つまり係合が解除されるように、第１の係合爪部３４を変形させる。具体的には、嵌合用突出部３３が並ぶ方向にそって嵌合用突出部３３から離れる方向に第１の係合爪部３４をたわませる。このことによって、第２の係合爪部４３の係合部４３ａと第１の係合爪部３４の係合孔３４ａの縁部との係合が解除されるので、バスバー４０を取り外すことができる。
【００１８】
ベンド部４２は、両嵌合部４１の基部４５において各収容部４６が並ぶ方向に沿う縁部に連結されており、両嵌合部４１を互いに固定している。ベンド部４２は、収容部４６が突出する方向に突出ように湾曲する形状である。ベンド部４２の厚みは、一定である。
【００１９】
１つのバスバー４０において両嵌合部４１は、ベンド部４２によって、互いに電気的に接続される。一方の嵌合部４１の収容部４６内に１つの単電池３０の正極と負極とのうちの一方の電極端子３１の嵌合用突出部３３が収容されることによって、この１つの単電池３０の電極端子３１とバスバー４０とが電気的に接続される。また、他方の嵌合部４１の収容部４６内に上記１つの単電池３０とは異なる単電池３０の正極または負極とのうち他方の電極端子３１の嵌合用突出部３３が収容されることによって、この異なる単電池３０の電極端子３１とバスバー４０とが互いに電気的に接続される。このことによって、バスバー４０を介して、上記１つの単電池３０と上記異なる単電池３０とが、直列に電気的に接続される。
【００２０】
ベンド部４２は、バスバー４０によって電気的に接続される一対の単電池３０の並ぶ方向に対して垂直な方向に突出している。なお、単電池３０が並ぶ方向は、嵌合部４１が並ぶ方向である。このため、２つの単電池３０に対してバスバー４０を接続する際に、単電池３０同士の位置がずれていても、ベンド部４２が変形することによって、一方の嵌合部４１を一方の単電池３０の電極端子３１に接続できるとともに、他方の嵌合部４１を他方の単電池３０の電極端子３１に接続することができる。さらに、２つの単電池３０に対してバスバー４０を接続した後に、一方の単電池３０と他方の単電池３０との相対位置関係がずれた場合であっても、ベンド部４２が変形することによって単電池３０同士の相対位置のずれが吸収されるので、この位置ずれに起因して、電極端子３１と嵌合部４１との電気的接続、言い換えると、収容部４６と嵌合用突出部３３との位置関係がずれることが抑制される。
【００２１】
電圧検出端子４４は、ベンド部４２に連結されている。組電池１０は、各単電池３０の電圧を検出する制御部を有している。電圧検出端子４４は、制御部に電気的に接続される。各バスバー４０の電圧検出端子４４が制御部に接続されることによって、制御部は、バスバー４０を介して各単電池３０の電圧値を検出する。制御部は、各単電池３０の電圧値に基づいて、組電池１０の状態を検出する。組電池１０の状態とは、例えば、組電池１０の全体の電圧値などである。
【００２２】
図４は、ターミナルバスバー６０を示す斜視図である。図４に示すように、ターミナルバスバー６０は、組電池１０の外部接続端子１１，１２に電気的に接続される外部端子接続部６１と、嵌合部と、電圧検出端子とを備えている。外部端子接続部６１は、板形状であり、貫通孔６２を有している。外部接続端子１１，１２には、ねじ孔が形成されている。外部端子接続部６１が外部接続端子１１，１２に接触している状態において、ボルト６３が貫通孔６２を通って外部接続端子１１，１２のねじ孔に螺合することによって、外部端子接続部６１が外部接続端子１１，１２に締結される。このことによって、外部端子接続部６１と外部接続端子１１，１２とが互いに電気的に接続される。
【００２３】
電圧検出端子と嵌合部とは、バスバー４０の電圧検出端子４４と嵌合部４１と同じであるので、バスバー４０の電圧検出端子４４と嵌合部４１と同じ符号を付して説明を省略する。
【００２４】
外部端子接続部６１は、嵌合部４１において収容部４６が並ぶ方向の一端部に連結されている。また、電圧検出端子４４は、嵌合部４１と外部端子接続部６１との間の一方に１つ連結されている。
【００２５】
なお、図１に示すように、組電池１０は、一対のターミナルバスバー６０が用いられており、各ターミナルバスバー６０の電圧検出端子４４は、ターミナルバスバー６０において組電池１０の内側に１つ設けられている。つまり、一方のターミナルバスバー６０の電圧検出端子４４の位置は、他方のターミナルバスバー６０の電圧検出端子４４の位置に対して逆になる。
【００２６】
このため、一例として、ターミナルバスバー６０は、もともと、一対の電圧検出端子４４を有しており、ターミナルバスバー６０が組電池１０に組みつけられた際に不要となる方の電圧検出端子４４が、取り除くようにしてもよい。
【００２７】
次に、嵌合部４１の収容部４６について、説明する。まず、嵌合用突出部３３の形状について、具体的に説明する。図５は、バスバー４０が、複数の単電池３０のうちの一組の単電池３０に固定された状態において、つまり、収容部４６内に嵌合用突出部３３が収容された状態において、収容部４６を、収容部４６の突出する方向に垂直な方向に切断した状態を示す断面図である。
【００２８】
図３，５に示すように、収容部４６は、周壁部５１と、先端壁部５２とを有している。周壁部５１は、嵌合用突出部３３の突出方向回りに囲む一周つながる環状である。先端壁部５２は、周壁部５１の上端に連結されており、嵌合用突出部３３の先端と対向する。嵌合用突出部３３は、電極端子３１の基部３２の表面３２ａが、嵌合部４１の基部４５の下面４５ａに接触するまで、収容部４６内に差し込まれる。なお、嵌合部４１の基部４５の下面４５ａは、平面であり、それゆえ、表面３２ａと下面４５ａとは互いに面接触する。嵌合用突出部３３の全体は、収容部４６内に収容される。
【００２９】
図２に示すように、嵌合用突出部３３は、略直方体形状である。図７は、嵌合用突出部３３を、突出方向Ａに沿って切断した状態を示す断面図である。図７に示すように、嵌合用突出部３３は、本体部３５と、先端部３６とを有している。先端部３６は、本体部３５の先に位置している。
【００３０】
本体部３５の、突出方向Ａに垂直な断面の形状は、突出方向Ａにいずれの位置であっても同じである。本体部３５は、第１〜４の周面３５ａ〜３５ｄを備えている。第１，４の周面３５ａ，３５ｄは、突出方向Ａに平行な平面であって互いに平行であり、第２，３の周面３５ｂ，３５ｃは、突出方向Ａに平行な平面であって互いに平行である。第１，２の周面３５ａ，３５ｂは、互いに直交する。
【００３１】
なお、図５は、嵌合用突出部３３を、突出方向Ａと、第１の周面３５ａから第４の周面３５ｄに向かう方向つまり第２,３の周面３５ｂ，３５ｃの延びる方向とに対して垂直な方向に沿って切断した状態を示している。
【００３２】
ここで、幅方向Ｂと、奥行方向Ｃとを定義する。幅方向Ｂは、突出方向Ａに垂直であるとともに、本体部用第２，３の周面３５ｂ，３５ｃに平行な方向である。奥行方向Ｃは、突出方向Ａと幅方向Ｂとに対して垂直な方向である。本体部３５の幅方向Ｂに沿う幅Ｌは、突出方向Ａにいずれの位置であっても同じである。先端部３６は、先端に進むにつれて幅方向Ｂに沿う幅が次第に狭まる形状である。
【００３３】
図５は、嵌合用突出部３３の本体部３５を通る断面図である。嵌合用突出部３３の本体部３５において突出方向Ａに垂直な断面の形状は、突出方向Ａにいずれの位置であっても、図５と同じである。また、嵌合用突出部３３の突出方向Ａに沿う断面形状は、奥行方向Ｃのいずれの位置であっても、図７と同じである。
【００３４】
図５に示すように、収容部４６の周壁部５１は、嵌合用突出部３３を囲う形状である。周壁部５１の内面は、第１〜４の内面５１ａ，５１ｂ，５１ｃ，５１ｄを有している。第１の内面５１ａは、嵌合用突出部３３の本体部３５の第１の周面３５ａに対向する平面である。第２の内面５１ｂは、本体部３５の第２の周面３５ｂに対向する平面である。第３の内面５１ｃは、本体部３５の第３の周面３５ｃに対向する平面である。第４の内面５１ｄは、本体部３５の第４の周面３５ｄに対向する平面である。第１，４の内面５１ａ，５１ｄは、互いに対向するように配置されており互いに平行である。第２，３の内面５１ｂ，５１ｃは、互いに対向するように配置されており互いに平行である。第１，２の内面５１ａ，５１ｂは、互いに垂直である。収容部４６内に嵌合用突出部３３が収容されて基部３２の表面３２ａが嵌合部４１の基部４５の下面４５ａに面接触した状態において、第１〜４の内面５１ａ〜５１ｄは、突出方向Ａに平行になる。
【００３５】
ここで、図５に示されるように、第１〜４の周面３５ａ〜３５ｂにおいて突出方向Ａに垂直に切断されることによって形成される断面の縁を、第１〜４の縁３７ａ，３７ｂ，３７ｃ，３７ｄとする。第１の縁３７ａは、第１の周面３５ａを切断することによって形成される縁である。第２の縁３７ｂは、第２の周面３５ｂを切断することによって形成される縁である。第３の縁３７ｃは、第３の周面３５ｃを切断することによって形成される縁である。第４の縁３７ｄは、第４の周面３５ｄを切断することによって形成される縁である。
【００３６】
図５に示すように、第１，４の縁３７ａ，３７ｄは、第２，３の縁３７ｂ，３７ｃよりも長い。このため、第１〜４の内面５１ａ〜５１ｄを突出方向Ａに垂直に切断して形成される第１〜４の縁５３ａ，５３ｂ，５３ｃ，５３ｄにおいても、第１，４の縁５３ａ，５３ｄは、第２，３の縁５３ｂ，５３ｃよりも長い。
【００３７】
収容部４６の周壁部５１には、接続用突出部５４が形成されている。接続用突出部５４は、収容部４６の第１，４の内面５１ａ，５１ｄに２つずつ配置されている。接続用突出部５４は、第１，４の内面５１ａ，５１ｄよりも内側に向かって突出している。第１の内面５１ａ上に配置される２つの接続用突出部５４のうち一方は、第１の内面５１ａにおいて、第２の内面５１ｂ側に配置されている。他方は、第１の内面５１ａにおいて第３の内面５１ｃ側に配置されている。第４の内面５１ｄ上に配置される２つの接続用突出部５４のうち一方は、第３の内面５１ｃ側に配置されている。他方は、第１の内面５１ａにおいて第４の内面５１ｄ側に配置されている。
【００３８】
また、第１の内面５１ａ上に配置される２つの接続用突出部５４のうち一方と、第４の内面５１ｄ上に配置される２つの接続用突出部５４のうちの一方とは、幅方向Ｂに対向する。第１の内面５１ａ上に配置される他方の接続用突出部５４と、第４の内面５１ｄ上の他方の接続用突出部５４とは、幅方向Ｂに対向する。
【００３９】
第１の内面５１ａに対する接続用突出部５４の位置は、第４の内面５１ｄに対する接続用突出部５４の位置と同じである。言い換えると、収容部４６を、中心線Ｐ１回りに１８０度回転しても、つまり、図５に示す断面を中心線Ｐ１回りに１８０度回転しても、断面の形状は、同じである。つまり、第２の内面５１ｂから第１，４の内面５１ａ，５１ｄにおいて第２の内面５１ｂ側に配置される接続用突出部５４までの距離は、互いに同じである。第３の内面５１ｃから第１，４の内面５１ａ，５１ｄにおいて第３の内面５１ｃ側に配置される接続用突出部５４までの距離は、互いに同じである。さらに、第２の内面５１ｂから第１，４の内面５１ａ，５１ｄにおいて第２の内面５１ｂ側に配置される接続用突出部５４までの距離と、第３の内面５１ｃから第１，４の内面５１ａ，５１ｄにおいて第３の内面５１ｃ側に配置される接続用突出部５４までの距離とも互いに同じである。
【００４０】
中心線Ｐ１は、収容部４６を収容部の突出方向に垂直に切断したときに第１〜４の内面５１ａ〜５１ｄによって規定される内側空間の中心を通る線である。収容部４６の突出方向は、収容部４６内に嵌合用突出部３３が収容されたときに突出方向Ａに平行である。
【００４１】
図７に示すように、各接続用突出部５４は、第１，４の内面５１ａ，５１ｄにおいて、収容部４６の開口４７の縁から、先端壁部５２まで延びている。ここで、４つの接続用突出部５４は、全て同じ形状としている。
【００４２】
図６は、嵌合用突出部３３が収容される前の収容部４６を、収容部４６の突出方向に垂直に切断した状態を示す断面図である。図６は、収容部４６を、図５と同じ位置で切断した状態を示している。つまり、収容部４６において、嵌合用突出部３３の本体部３５が位置する部位の断面である。
【００４３】
図６中に、収容部４６内に収容された嵌合用突出部３３を、２点鎖線で示している。図６に示すように、図６に２点鎖線で示される嵌合用突出部３３は、言い換えると、収容部４６内において嵌合用突出部３３が位置する範囲５５を示している。図６の範囲Ｆ６中に、接続用突出部５４の近傍を拡大して示している。範囲Ｆ６に示すように、接続用突出部５４は、断面形状が三角形状である。嵌合用突出部３３は、両突出端５４ａが嵌合用突出部３３の本体部３５の内側に位置するように形成されている。
【００４４】
具体的には、第１の内面５１ａに形成される接続用突出部５４の先端部が第１の周面３５ａよりも内側に位置するとともに、第４の内面５１ｄに形成される接続用突出部５４の先端部が第４の周面３５ｄよりも内側に位置するように形成されている。
【００４５】
接続用突出部５４は、嵌合用突出部３３よりもやわらかい材料で形成されている。本実施形態では、バスバー４０とターミナルバスバー６０は、電極端子３１よりもやわらかい材料で形成されており、それゆえ、接続用突出部５４は嵌合用突出部３３よりもやわらかい。接続用突出部５４が、嵌合用突出部３３よりも柔らかい材料で形成されるとは、接続用突出部５４が、嵌合用突出部３３よりも削れやすいことを示す。
【００４６】
図６に示すように、接続用突出部５４の突出端５４ａが嵌合用突出部３３の本体部３５の第１，４の周面３５ａ，３５ｄよりも内側に位置する大きさを有するとともに、接続用突出部５４が嵌合用突出部３３よりもやわらかい材料で形成されることによって、収容部４６内に嵌合用突出部３３を収容するべく開口４７から嵌合用突出部３３を挿入すると、接続用突出部５４の突出端部５４ｂは、嵌合用突出部３３の第１，４の周面３５ａ，３５ｄに接触することによって、削られる。
【００４７】
次に、嵌合用突出部３３を収容部４６に収容するべく開口４７から嵌合用突出部３３を挿入する際の接続用突出部５４の変形について、説明する。図７は、収容部４６内に嵌合用突出部３３を挿入する直前の状態を示している。図７に示すように、嵌合用突出部３３の先端部３６を収容部４６の開口４７に対向させる。この状態で、嵌合用突出部３３を収容部４６内に挿入するべく、バスバー４０またはターミナルバスバー６０を電極端子３１に近づける。
【００４８】
嵌合用突出部３３の先端部３６は、先端に進むにつれて幅方向Ｂに沿う幅が狭まる形状である。このため、先端部３６の周面は、接続用突出部５４に接触しない。なお、突出方向Ａにみたとき収容部４６の中心線Ｐ１と嵌合用突出部３３の中心線Ｐ２とがずれている場合では、先端部３６の周面３６ａが接続用突出部５４に接触する。中心線Ｐ２は、嵌合用突出部３３を突出方向Ａに垂直に切断したときの断面の中心を通る線である。
【００４９】
先端部３６の周面３６ａは、突出方向Ａに対して傾斜している。このため、先端部３６の周面３６ａが接続用突出部５４に接触する。さらに、先端部３６の周面３６ａが接続用突出部５４の突出端５４ａに接触した状態で嵌合用突出部３３を収容部４６内に収容するべくバスバー４０とターミナルバスバー６０とを電極端子３１側に近づけると、先端部３６の周面３６ａがガイド面となり、バスバー４０とターミナルバスバー６０とは、収容部４６の中心線Ｐ１と嵌合用突出部３３の中心線Ｐ２とが突出方向Ａに重なるように、位置が調整される。このことによって、嵌合用突出部３３の本体部３５が収容部４６内に収容されると、図５に示すように、嵌合用突出部３３の中心線Ｐ１と収容部４６の中心線Ｐ２とが突出方向Ａに重なる。
【００５０】
図８は、嵌合用突出部３３が収容部４６内に最後まで収容される前の状態を、突出方向Ａに沿って切断した断面図である。なお、最後まで収容されるとは、基部３２の表面３２ａと、基部４５の下面４５ａとが面接触するまで収容される状態である。上記したように、接続用突出部５４の突出端５４ａは、本体部３５の第１，４の周面３５ａ，３５ｄよりも内側に位置する大きさを有している。このため、本体部３５が収容部４６内に収容されると、接続用突出部５４が嵌合用突出部３３の第１，４の周面３５ａ，３５ｄに接触することによって突出端部５４ｂが削れる。図９は、図８に示される状態において、収容部４６から嵌合用突出部３３を引き抜いた状態を一部切り欠いて示す斜視図である。図９に示すように、接続用突出部５４の突出端部５４ｂは、嵌合用突出部３３の第１，４の周面３５ａ，３５ｄと擦れることによって削られる。削られた面に符号５４ｃを付して示す。
【００５１】
バスバー４０とターミナルバスバー６０とは、電極端子３１の基部３２の表面３２ａが嵌合部４１の基部４５の下面４５ａに面接触するまで、電極端子３１側に押し込められる。図８では、電極端子３１の基部３２の表面３２ａが嵌合部４１の基部４５の下面４５ａに面接触するまで収容部４６内に収容された電極端子３１を、２点鎖線で示している。図８中に２点鎖線で示すように、嵌合用突出部３３の全体は、収容部４６内に収容される。
【００５２】
なお、図８中では、電極端子３１の基部３２の表面３２ａが嵌合部４１の基部４５の下面４５ａに接触する状態において、嵌合用突出部３３の先端部３６の先端は、収容部４６の先端壁部５２の内面に接触している。他の例としては先端部３６の先端は、先端壁部５２の内面に接触しなくてもよい。
【００５３】
接続用突出部５４は、第１，４の内面５１ａ，５１ｄにおいて開口４７から先端壁部５２の内面まで延びている。さらに、嵌合用突出部３３の全体は、収容部４６内に収容される。このため、嵌合用突出部３３の第１，４の周面３５ａ，３５ｄにおいて、接続用突出部５４と接触して接続用突出部５４の先端部３６を削る部位は、本体部３５の先端、つまり本体部３５と先端部３６との境の部分から、基端まで形成される。図１０は、嵌合用突出部３３の全体が収容部４６内に収容された後、バスバー４０及びターミナルバスバー６０を電極端子３１から取り外した状態の嵌合用突出部３３を示す斜視図である。図１０において接続用突出部５４を削る部分３８が明確になるように、削る部分３８にハッチングを施している。このハッチングは、切断面を示すものではない。削る部分３８は、接続用突出部５４の突出端部５４ｂを削る際に、同時に表面が削られる。なお、接続用突出部５４は嵌合用突出部３３よりもやわらかい材料で形成されているため、削る部分３８の削れる程度は、接続用突出部５４に対して小さい。
【００５４】
このように構成される組電池１０では、接続用突出部５４は、嵌合用突出部３３が収容部４６内に収容される前の状態において、突出端部５４ｂが収容部４６内において嵌合用突出部３３が配置される範囲内に位置する大きさを有している。このため、嵌合用突出部３３を収容部４６内に収容すると、接続用突出部５４の突出端部５４ｂは、嵌合用突出部３３の第１，４の周面３５ａ，３５ｄに接触するとともに、第１，４の周面３５ａ，３５ｄと擦れることによって、削れる。さらに、嵌合用突出部３３の第１，４の周面３５ａ，３５ｄにおいても、接続用突出部５４と擦れる削る部分３８は、接続用突出部５４の削れる程度に対しては小さいが、削れる。
【００５５】
このように、接続用突出部５４の突出端部５４ｂと第１，４の周面３５ａ，３５ｄとの削る部分３８とが削れることによって、接続用突出部５４と第１，４の周面３５ａ，３５ｄにおいて表面の酸化した部位が削りとられた部位同士が接触するようになる。
【００５６】
さらに、接続用突出部５４が突出方向Ａに延びることによって、嵌合用突出部３３の第１，４の周面３５ａ，３５ｄにおいて両接続用突出部５４の突出端部５４ｂと接触する部位、つまり削る部分３８は、常に、接続用突出部５４の突出端部５４ｂと擦れる状態になる。このため、削る部分３８は、接続用突出部５４によって均される。同様に、接続用突出部５４も削る部分３８と擦れることによって均される。このため、接続用突出部５４と第１，４の周面３５ａ，３５ｄとの実際に接触する範囲を大きくできる。この点について、具体的に説明する。
【００５７】
第１，４の周面３５ａ，３５ｄは、上記のように平面である。しかしながら、その表面は、拡大してみると、実際には、粗面である。このため、第１，４の周面３５ａ，３５ｄに接続用突出部５４が面接触しても、実際に電気的に接続される範囲は、小さい。
【００５８】
しかしながら、本実施形態では、接続用突出部５４と第１，４の周面３５ａ，３５ｄにおいて互いに接触する面は、均されている。このため、互いに面接触した状態において、実際に電気的に接触している範囲は、大きくなる。
【００５９】
このため、バスバー４０及びターミナルバスバー６０と電極端子３１との電気的接続を良好にすることができる。
【００６０】
さらに、嵌合用突出部３３の第１，４の周面３５ａ，３５ｄが突出方向Ａに平行であるとともに、収容部４６内に嵌合用突出部３３を収容する際に第１，４の内面５１ａ，５１ｄを突出方向Ａに平行にすることによって、収容部４６内に嵌合用突出部３３を押し込んでいる途中では、接続用突出部５４の突出端部５４ｂが常に第１，４の内面５１a，５１ｄに接触する状態が保たれる。このことによって、嵌合用突出部３３と収容部４６の接続用突出部５４とにおいて、互いに擦れる状態が維持される。
【００６１】
また、第１の内面５１ａに対する接続用突出部５４の位置関係と、第４の内面５１ｄに対する接続用突出部５４の位置関係とは、互いに同じである。さらに、４つの接続用突出部５４は、全て同じ形状とすることができる。さらに、嵌合用突出部３３の中心線Ｐ１は、突出方向Ａに収容部４６の中心線Ｐ２と重なる姿勢で収容部４６内に収容される。このため、嵌合用突出部３３は、第１の内面５１ａ上に配置される２つの接続用突出部５４と第４の内面５１ｄ上に配置される２つの接続用突出部５４との間に挟持されるとともに、第１の内面５１ａ上の２つの接続用突出部５４による嵌合用突出部３３に対する押付荷重と、第４の内面５１ｄ上の２つの接続用突出部５４による嵌合用突出部３３に対する押付荷重は等しくなる。
【００６２】
このため、両接続用突出部５４は、バランスよく嵌合用突出部３３の第１，４の周面３５ａ，３５ｄに押し付けられるので、電気的接続状態が良好に保たれる。
【００６３】
また、接続用突出部５４がバスバー４０またはターミナルバスバー６０に形成されることによって、単電池３０にバスバー４０またはターミナルバスバー６０を組み付けた後にバスバー４０またはターミナルバスバー６０を取り外し、その後、再び、バスバー４０またはターミナルバスバー６０を組み付ける際のコストが高騰することを抑制することができる。
【００６４】
この点について具体的に説明する。電極端子３１は、単電池３０に一体に固定されている。接続用突出部５４が電極端子３１に形成されている場合、バスバー４０またはターミナルバスバー６０を電極端子３１に接続した後にバスバー４０またはターミナルバスバー６０を取り外すと、電極端子３１の嵌合用突出部３３に一体に形成される接続用突出部５４は削られた状態である。その後、電極端子３１にバスバー４０またはターミナルバスバー６０を組み付けるために、接続用突出部５４を交換すると、単電池３０ごと交換する必要が生じる。
【００６５】
しかしながら、バスバー４０またはターミナルバスバー６０に接続用突出部５４が形成されることによって、バスバー４０またはターミナルバスバー６０を電極端子３１に組み付けた後に、再び単電池にバスバー４０またはターミナルバスバー６０を組み付けル場合は、接続用突出部５４が削れていない新しいバスバー４０またはターミナルバスバー６０を用意すればよい。
【００６６】
このため、新しい単電池３０を用意する必要がないので、単電池３０にバスバー４０またはターミナルバスバー６０を組み付けた後にバスバー４０またはターミナルバスバー６０を取り外し、その後、再びバスバー４０またはターミナルバスバー６０を組み付ける際のコストの高騰化を抑制することができる。
【００６７】
次に、第２の実施形態に係る組電池を、図１１を用いて説明する。なお、本実施形態において、第１の実施形態と同様の機能を有する構成は、第１の実施形態と同一の符号を付して説明を省略する。本実施形態では、嵌合用突出部３３の形状が第１の実施形態と異なる。また、嵌合用突出部３３に合わせて、収容部４６の形状が第１の実施形態と異なる。他は、第１の実施形態と同じである。上記異なる点について、具体的に説明する。
【００６８】
図１１は、バスバー４０またはターミナルバスバー６０が、電極端子３１に電気的に接続された状態、つまり、嵌合用突出部３３が収容部４６内に収容された状態において、突出方向Ａに垂直に切断した状態を示す断面図である。
【００６９】
図１１に示すように、本実施形態では、嵌合用突出部３３の本体部３５は、断面形状が円となる円柱状である。先端部は、円錐状となる。このため、本体部３５は、第１の実施形態で説明された第１〜４の周面３５ａ〜３５ｄを有していない。本体部３５の周面３５ｅは、突出方向Ａに平行である。
【００７０】
収容部４６は、本体部３５の周面３５ｅとの間に隙間Ｓが形成される円筒形状である。隙間Ｓは、一定の間隔である。収容部４６の内面５１ｅは、収容部４６内に嵌合用突出部３３を収容して基部３２の表面３２ａと基部４５の下面４５ａとが面接触した状態において、突出方向Ａに平行になる。
【００７１】
接続用突出部５４は、収容部４６の中心線Ｐ１に対して周方向に等間隔離間して配置されている。本実施形態では、一例として、中心線Ｐ１回りに１２０度ずつ離間して配置されている。本実施形態であっても各接続用突出部５４の形状は、互いに同じである。なお、図中、削られる突出端部５４ｂは、２点鎖線で示している。
【００７２】
本実施形態では、接続用突出部５４が、中心線Ｐ１回りに等間隔、言い換えると、等角度離間して配置されている。このため、複数の接続用突出部５４によって、バランスよく嵌合用突出部３３を挟持することができる。本実施形態であっても、第１の実施形態と同様の作用と効果とが得られる。
【００７３】
また、収容部４６内に嵌合用突出部３３を収容する際に、バスバー４０とターミナルバスバー６０との姿勢を収容部４６の内面５１ｅが突出方向Ａに平行になる姿勢にすることによって、第１の実施形態と同様に、収容部４６内に嵌合用突出部３３を収容する途中において、接続用突出部５４の突出端部５４ｂと内面５１ｅとの接触状態を維持することができる。
【００７４】
なお、本実施形態では、接続用突出部５４は、１２０度間隔で１つずつ形成されており、それゆえ、３つの接続用突出部５４が形成されている。他の例としては、４５度、６０度、９０度間隔などであってもよい。
【００７５】
次に、第３の実施形態に係る組電池を、図１２を用いて説明する。なお、本実施形態において第１の実施形態と同様の機能を有する構成は、第１の実施形態と同一の符号を付して説明を省略する。本実施形態では、接続用突出部の数及び配置が、第１の実施形態と異なる。他は、第１の実施形態と同じである。上記異なる点について具体的に説明する。
【００７６】
図１２は、本実施形態のバスバー４０とターミナルバスバー６０とが電極端子３１に接続された状態、つまり、嵌合用突出部３３が収容部４６内に収容された状態を、突出方向Ａに垂直に切断した状態を示している。図１２に示すように、本実施形態では、接続用突出部は、第１，４の内面５１ａ，５１ｄの各々に複数形成されている。接続用突出部の大きさ、形状は、第１の実施形態の接続用突出部５４と同じである。
【００７７】
第１の周面３５ａに形成される接続用突出部と、第４の周面３５ｄに形成される接続用突出部とは、奥行方向Ｃに交互に配置されている。この点について、具体的に説明する。本実施形態では、一例として、第１の周面３５ａに形成される接続用突出部を、第１〜４の接続用突出部７１，７２，７３，７４とする。第４の周面３５ｄに形成される接続用突出部を、第５〜８の接続用突出部８１，８２，８３，８４とする。
【００７８】
第１の接続用突出部７１は、第１の内面５１ａにおいて奥行方向Ｃの一端部に配置されている。第５の接続用突出部８１は、第４の内面５１ｄにおいて第１の接続用突出部７１に対して奥行方向Ｃに沿って一端から他端の向かう方向に進んだ位置に配置されている。第２の接続用突出部７２は、第１の内面５１ａにおいて第５の接続用突出部８１に対して他端側に進んだ位置に配置されている。第６の接続用突出部８２は、第４の内面５１ｄにおいて第２の接続用突出部７２に対して他端側に進んだ位置に配置されている。第３の接続用突出部７３は、第１の内面５１ａにおいて第６の接続用突出部８２に対して他端側に進んだ位置に配置されている。第７の接続用突出部８３は、第４の内面５１ｄにおいて第３の接続用突出部７３に対して他端側に進んだ位置に配置されている。第４の接続用突出部７４は、第１の内面５１ａにおいて第７の接続用突出部８３に対して他端側に進んだ位置に配置されている。第８の接続用突出部８４は、第４の内面５１ｄにおいて第４の接続用突出部７４に対して他端側に進んだ位置に配置されている。なお、図１２中、第１〜８の接続用突出部７１〜７４，８１〜８４において削れられる突出端部５４ｂは、２点鎖線で示している。
【００７９】
第１〜４の接続用突出部７１〜７４の間隔Ｌ２，Ｌ３，Ｌ４は、互いに同じである。第５〜８の接続用突出部８１〜８４の間隔Ｌ５，Ｌ６，Ｌ７は、互いに同じである。そして、間隔Ｌ２〜Ｌ４と間隔Ｌ５〜Ｌ７とは、同じである。さらに、奥行方向Ｃに沿う第１，５の接続用突出部７１，８１間の間隔Ｌ８と、第５，２の接続用突出部８１，７２間の間隔Ｌ９と、第２，６の接続用突出部７２，８２間の間隔Ｌ１０と、第６，３の接続用突出部８２，７３間の間隔Ｌ１１と、第３，７の接続用突出部７３，８３間の間隔Ｌ１２と、第７，４の接続用突出部８３，７４間の間隔Ｌ１３と、第４，８の接続用突出部７４，８４間の間隔Ｌ１４とは、互いに同じである。このため、第４の内面５１ｄに対する第５〜８の接続用突出部８１〜８４の位置は、第１の内面５１ａに対する第１〜４の接続用突出部７１〜７４の位置と同じである。
【００８０】
言い換えると、収容部４６を中心線Ｐ１回りに１８０度回転しても、つまり、図１２に示される収容部４６を中心線Ｐ１回りに１８０度回転しても、収容部４６の断面形状は、回転前後で同じである。
【００８１】
本実施形態であっても、第１の実施形態と同様の作用と効果とが得られる。さらに、互いに向かい合う第１，４の内面５１ａ，５１ｄに、奥行方向Ｃに沿って、交互に、かつ、等間隔離間して配置されることによって、複数の接続用突出部５４がバランスよく嵌合用突出部３３を挟持するので、嵌合用突出部３３と収容部４６との電気的接続をより一層良好にすることができる。
【００８２】
本実施形態では、第１の内面５１ａに第１〜４の接続用突出部７１〜７４が形成され、第２の内面５１ｂに第５〜８の接続用突出部８１〜８４が形成されている。そして、互いに交互に、かつ、等間隔離間して配置されている。他の例としては、第１，４の内面５１ａ，５１ｄに、各々、４つ以外の接続用突出部が形成されてもよく、例えば、３つや５つの接続用突出部が形成されてもよい。この場合であって、接続用突出部は、交互に配置される。
【００８３】
このように、互いに対向する面、本実施形態では一例として第１，４の内面５１ａ，５１ｄに、接続用突出部を交互に配置するとともに、一方の面に形成される接続用突出部が等間隔離間し他方の面に形成される接続用突出部が等間隔離間することによって、複数の接続用突出部５４によって、嵌合用突出部３３がバランスよく挟持するようになる。さらに、互いに隣り合う一方の面に形成される接続用突出部の１つと、他方の面に形成される接続部用突出部の１つとの距離が、全て同じであることによって、嵌合用突出部３３は、複数の接続用突出部によってより一層バランスよく挟持されるようになる。
【００８４】
次に、第４の実施形態に係る組電池を、図１３〜１６を用いて説明する。なお、本実施形態において、第１の実施形態と同様の機能を有する構成は、第１の実施形態と同一の符号を付して説明を省略する。
【００８５】
図１３は、本実施形態の嵌合用突出部３３を示す斜視図である。図１３に示すように、本実施形態では、接続用突出部５４は、嵌合用突出部３３に形成されている。収容部４６には、接続用突出部５４は、形成されていない。そして、接続用突出部５４は、収容部４６よりもやわらかい材料で形成されている。本実施形態では、一例として、本実施形態の電極端子３１は、第１の実施形態の収容部４６を形成する材料で形成され、本実施形態の収容部４６のバスバー４０及びターミナルバスバー６０は、第１の実施形態の電極端子３１を形成する材料で形成される。このため、接続用突出部５４は、収容部４６よりもやわらかい、言い換えると、削りやすい。
【００８６】
接続用突出部５４は、一例として、第１，４の周面３５ａ，３５ｄに２つずつ形成されている。図１３では、第４の周面３５ｄに形成される接続用突出部５４が示されている。第１の周面３５ａに対する接続用突出部５４の位置関係と、第４の周面３５ｄに対する接続用突出部５４の位置関係とは、同じである。
【００８７】
第１の周面３５ａに形成される２つの接続用突出部５４のうち一方は、第２の周面３５ｂ側に配置され、他方は、第３の周面３５ｃ側に配置される。第４の周面３５ｄに形成される２つの接続用突出部５４のうち一方は、第２の周面３５ｂ側に配置され、他方は、第３の周面３５ｃ側に配置される。第１の周面３５ａに形成される２つの接続用突出部５４のうち一方と、第４の周面３５ｄに形成される２つの接続用突出部５４のうち一方とは、幅方向Ｂに対向している。第１の周面３５ａに形成される他方の接続用突出部５４と、第４の周面３５に形成される他方の接続用突出部５４とは、幅方向Ｂに対向している。
【００８８】
また、第２の周面３５ｂから第１，４の周面３５ａ，３５ｄにおいて第２の周面３５ｂ側に配置される接続用突出部５４までの距離は、互いに同じである。第３の周面３５ｃから第１，４の周面３５ａ，３５ｄにおいて第３の周面３５ｃ側に配置される接続用突出部５４までの距離は、互いに同じである。さらに、第２の周面３５ｂから第１，４の周面３５ａ，３５ｄにおいて第２の周面３５ｂ側に配置される接続用突出部５４までの距離と、第３の周面３５ｃから第１，４の周面３５ａ，３５ｄにおいて第３の周面３５ｃ側に配置される接続用突出部５４までの距離とは、互いに同じである。
【００８９】
図１４は、嵌合用突出部３３が収容部４６内に収容された状態を突出方向Ａに垂直に切断した状態を示す断面図である。図１４は、図５と同様に切断した状態を示している。図１４では、接続用突出部５４において収容部４６内に収容される際に削れられる突出端部５４ｂを２点鎖線で示す。
【００９０】
図１４に示すように、接続用突出部５４は、収容部４６に収容される前の状態では、その突出端部５４ｂが収容部４６の周壁部５１内に位置する大きさを有している。このため、嵌合用突出部３３を収容部４６内に挿入すると、接続用突出部５４が収容部４６の内面によって削れるとともの収容部４６の内面も削れる。このため、電極端子３１とバスバー４０との電気的接続、及び、電極端子３１とターミナルバスバー６０との電気的接続を良好にすることができる。
【００９１】
なお、第２，３の実施形態においても、本実施形態と同様に、収容部４６に形成された接続用突出部５４が、嵌合用突出部に形成されてもよい。第２，３の実施形態において、本実施形態同様に接続用突出部５４を嵌合用突出部３３に形成し、かつ、嵌合用突出部３３が収容部４６内に収容された状態を突出方向Ａに垂直に切断した断面図を図１５，１６に示す。
【００９２】
図１５は、図１１と同様に切断した状態を示している。図１５では、接続用突出部５４は、嵌合用突出部３３の中心線Ｐ２回りに等間隔、言い換えると等角度離間して配置されている。一例として、１２０度離間している。図中、削られる突出端部５４ｂを２点鎖線で示している。図１５に示す構造であっても、電極端子３１とバスバー４０との電気的接続、及び、電極端子３１とターミナルバスバー６０との電気的接続とを良好にすることができる。
【００９３】
図１６は、図１２と同様に切断した状態を示している。図１６では、第１〜８の接続用突出部７１〜７４，８１〜８４に対して設定される間隔、Ｌ２〜Ｌ１３は、第２の実施形態で説明されたものと同じである。図１６に示す構造であっても、電極端子３１とバスバー４０との電気的接続、及び、電極端子３１とターミナルバスバー６０との電気的接続とを良好にすることができる。
【００９４】
次に、第５の実施形態に係る組電池を、図１７を用いて説明する。なお、第１の実施形態と同様の機能を有する構成は、第１の実施形態と同一の符号を付して説明を省略する。本実施形態では、組電池がさらに、クリップを備える点が、第１の実施形態と異なる。他は、第１の実施形態と同じである。上記異なる点について、具体的に説明する。
【００９５】
図１７は、本実施形態のバスバー４０及びターミナルバスバー６０において、嵌合用突出部３３が収容された収容部４６を拡大して示す斜視図である。図１７に示すように、本実施形態では、組電池１０は、さらに、複数のクリップ９０を備えている。クリップ９０は、収容部４６内に嵌合用突出部３３が収容された状態において、収容部４６を挟みこむ。
【００９６】
クリップ９０は、収容部４６の周壁部５１を、幅方向Ｂに挟みこむ。このことによって、クリップ９０は、接続用突出部５４を第１，４の周面３５ａ，３５ｄに向かって押し付ける。このため、電極端子３１とバスバー４０との電気的接続、及び、電極端子３１とターミナルバスバー６０との電気的接続をより一層良好にすることができる。
【００９７】
なお、第３，４の実施形態においても、本実施形態のクリップ９０が用いられてもよい。この場合であっても、電極端子３１とバスバー４０との電気的接続、及び、電極端子３１とターミナルバスバー６０との電気的接続をより一層良好にすることができる。
【００９８】
なお、第１〜４の実施形態では、１つの単電池３０の電極端子３１に対して異なる単電池３０の電極端子３１は、バスバー４０によって接続される接続相手の一例となる。また、外部接続端子１１，１２は、電極端子３１に対してターミナルバスバー６０によって接続される接続相手の一例となる。
【００９９】
なお、第１，３の実施形態では、嵌合用突出部３３の突出方向Ａに垂直な断面形状と、収容部４６の突出方向Ａに垂直な断面において第１〜４の内面５１ａ〜５１ｄによって形成される形状は、長方形である。他の例としては、例えば、楕円形状であってもよい。このように、嵌合用突出部３３の突出方向Ａに垂直な断面形状と、収容部４６の突出方向に垂直な断面形状とは、長方形以外であってもよい。第２の実施形態では、この一例である。
【０１００】
この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。さらに、異なる実施形態の構成を組み合わせてもよい。
【符号の説明】
【０１０１】
１０…組電池、１１…外部接続端子、１２…外部接続端子、３０…単電池、３１…電極端子、３５ａ…第１の周面（周面の一例）３５ｄ…第４の周面（周面の一例）、３７ａ…第１の縁（一組の縁の一例）、３７ｄ…第４の縁（一組の縁の一例）、４０…バスバー、４６…収容部、４７…開口、５１…周壁部、５１ａ…第１の内面（内面の一例）、５１ｄ…第４の内面（内面の一例）、５２…先端壁部、５４…接続用突出部（突出部の一例）、５４ｂ…突出端部、６０…ターミナルバスバー、７１…第１の接続用突出部（突出部の一例）、７２…第２の接続用突出部（突出部の一例）、７３…第３の接続用突出部（突出部の一例）、７４…第４の接続用突出部（突出部の一例）、８１…第５の接続用突出部（突出部の一例）、８２…第６の接続用突出部（突出部の一例）、８３…第７の接続用突出部、８４…第８の接続用突出部、９０…クリップ
【図１】
0005606481.tif 000002
【図２】
0005606481.tif 000003
【図３】
0005606481.tif 000004
【図４】
0005606481.tif 000005
【図５】
0005606481.tif 000006
【図６】
0005606481.tif 000007
【図７】
0005606481.tif 000008
【図８】
0005606481.tif 000009
【図９】
0005606481.tif 000010
【図１０】
0005606481.tif 000011
【図１１】
0005606481.tif 000012
【図１２】
0005606481.tif 000013
【図１３】
0005606481.tif 000014
【図１４】
0005606481.tif 000015
【図１５】
0005606481.tif 000016
【図１６】
0005606481.tif 000017
【図１７】
0005606481.tif 000018